(57)【要約】【課題】処理槽中に回転自在に配置する回転濾過ドラムを、切粉分散機能を備えた回転濾過ドラムとする。  【解決手段】処理槽中に回転自在として配置する回転濾過ドラムを、該ドラムの近傍に切粉滑降ガイドを配し、該ドラムから剥がされた切粉を、該ドラムから遠ざけて処理槽中に分散させる回転濾過ドラムとした。  【選択図】図２
2010142751.tif 000002
【特許請求の範囲】
【請求項１】
処理槽に回転自在に軸支する内側に噴射ノズルを配した回転濾過ドラムを、外周側に所望の間隔を開けて突起物を突設した回転濾過ドラムとし、横幅を回転濾過ドラムの外周面幅に相当する幅とし、長さを所望の長さとした切粉滑降板の一方側の長さ方向に、先端を吊り下げ部とした吊り下げ杆を、該滑降板の両縦辺端を屈曲部としてくの字状の屈曲角度方向に延長して成る構成とした切粉滑降ガイドを、その屈曲部が、前記した回転濾過ドラムの内側に配した噴射ノズルの噴射口を向けた外側の弧状外周辺又は弧状外周面に接近した位置で処理槽に配設したストッパーにより停止させるように処理槽に配設した切粉滑降ガイド支持部材に、該切粉滑降ガイドの吊り下げ部を以て回動自在に吊り下げて配置する構成としたことを特徴とする切粉分散機能を備えた回転濾過ドラム。
【発明の詳細な説明】
【技術分野】
【０００１】
本発明は、金属切削工場から排出される大小の切粉を混入した混濁クーラント中から大小の切粉を分別した濾過済クーラントとし、そのクーラント中から更に細かい切粉を分離して濾過済切削油を得るための処理槽内に配設する回転濾過ドラムを切粉滑降ガイドを備えた回転濾過ドラムとした発明である。
【背景技術】
【０００２】
金属を切削する作業を行う工場から排出する大小の切粉を混入した状態で排出されるいわゆる混濁クーラントを投入した処理槽内で、混濁クーラント中から大小の切粉を分別し、細かい切粉を混入した濾過済クーラントとし、そのクーラントの中から更に細かい切粉を取り除いて濾過済み切削油とするため、回転濾過ドラムを配設した装置として前記した混濁クーラントを受け入れる処理槽中に回動自在をするスクレーバコンベア或いはヒンジコンベアを回動自在に懸架し、そのコンベアにより混濁クーラント中の大小の切粉を分別した濾過済クーラントの中から更に細かい切粉を分別して濾過済切削油を得るための器具として、前記コンベアの回動力の伝達を受けて回転するよう回転軸に軸支された回転濾過ドラムを配置して構成された装置がある。
また、前記コンベアを懸架した槽と、前記回転濾過ドラムを配設した槽とは別個として、両槽を併設した装置がある。
【０００３】
前記処理槽中に配設される回転濾過ドラムは、いずれも該ドラムの外周にフィルターを配し、該ドラムの側板の一方、或いは両側には、該ドラムの外周に配した前記フィルターを通過して、該ドラム内に大小の切粉を分別した濾過済クーラント中から更に細かい切粉を取り除いた濾過済切削油として流入した該濾過済切削油を、該ドラム外に流出させる流出口が形成されている。その該ドラムに形成された流出口は、前記処理槽の流出口と連通するように構成されている。
また、該ドラムは、濾過済クーラント中に混入した細かい切粉をフィルターで分別して濾過済切削油として内側に流入するものであるから、該ドラムのフィルターには濾過済クーラント中に混入している細かい切粉が付着する。この切粉を取り除くのには、該ドラムの内側に前記フィルターに対して、洗滌液、或いはエアーを噴射するノズルが配置され、このノズルから噴射される洗滌液、或いはエアーによって、該ドラムのフィルターに付着した切粉をフィルターから剥がし取るようにしている。
【０００４】
即ち、該ドラムは、前記した処理槽に投入された混濁クーラント中から大小の切粉を取り除かれ、細かい切粉を混入した濾過済クーラント中に常時浸かった状態で回転し、濾過済クーラント中に混入している細かい切粉を、該ドラムのフィルターで分別し、該ドラムの中には、濾過済クーラントに混入した細かい切粉の侵入を阻止し、細かい切粉を取り除いた濾過済切削油として流入するようにし、これを処理槽を通して処理槽の外部に流出する働きをするように処理槽内に配設される。
【０００５】
従って、該ドラムの外周に張設されたフィルターは、処理槽に投入された前記濾過済クーラントから濾過済クーラント中に混入している細かい切粉が、該ドラムの中に侵入するのを阻止しながら、該ドラムの中には細かい切粉が分別された濾過処理され切削油として流入するようにし、この濾過済切削油が該ドラムの流出口、並びにこの流出口と連通する処理槽の流出口から処理槽外に流出することになる。
【０００６】
前記した働きをする回転濾過ドラムの外周に張設された前記フィルターの面には、混濁クーラント中に混在する大小の切粉が分離された濾過済クーラント中に混入した細かい切粉が該ドラムの前記フィルターの面に付着する。
【０００７】
この細かい切粉を除去しなければ、前記フィルターの濾過機能は低下してしまう不都合が生じてしまう。
【０００８】
この不都合が生じるのを阻止するため、該ドラムの内側に配した噴射ノズルから、前記フィルターに向かって洗滌液、或いはエアーを噴射する噴射ノズルを配して該ノズルから前記洗滌液、エアーを噴射して該フィルターに付着した細かい切粉を取り除く操作が行われる。
【０００９】
この操作により、該ドラムの外周に張設された該フィルターから細かい切粉が該ドラムの近辺に落下する。その結果、前記した細かい切粉は、該ドラムの近辺の処理槽中に濃密状態で沈降したり、或いは処理槽の底に堆積することになる。この状態は、前記した細かいの切粉が、該ドラムのフィルターに付着しやすくなり、これが大量に付着すると該ドラムのフィルターの濾過能力の低下を来すだけでなく、フィルターを破損してしまうと言う不都合を引き起こすことになる。
【００１０】
従って、前記操作による切粉の取り除きは、回転濾過ドラムから少しでも離れた個所に細かい切粉を沈下させるようにしなければならない。
これまでは、上記した処理槽中に配設する回転濾過ドラムの周辺で上記したような不都合の生じるのを阻止するため、有効手段を講ずる必要性を当業者が感じていたが、該ドラムに付着した大小切粉を該ドラムからなるべく離れた所に落下させようとする技術は本発明者が知っている限りではなかった。
【発明の開示】
【発明が解決しようとする課題】
【００１１】
本発明は、これまで、処理槽中に投入された大小の切粉を混入した混濁クーラント中から大小の切粉を取り除いた濾過済クーラントとし、この濾過済クーラント中で回転するようにした回転濾過ドラムのフィルターに付着した細かい切粉を、該フィルターから剥がし取り、切粉を該ドラムからなるべく離れた個所に落下させるという装置がなかったことにより生ずる不都合を解消するため、該ドラムのフィルターに付着して、該フィルターから剥がされた切粉を、該ドラムからなるべく離れた個所に落下させることができる装置を備えた回転濾過ドラムを提供しようとするものである。
【課題を解決するための手段】
【００１２】
処理槽に回転自在に軸支する内側に噴射ノズルを配した回転濾過ドラムを、外周側に所望の間隔を開けて突起物を突設した回転濾過ドラムとし、横幅を回転濾過ドラムの外周面幅に相当する幅とし、長さを所望の長さとした切粉滑降板の一方側の長さ方向に、先端を吊り下げ部とした吊り下げ杆を、該滑降板の両縦辺端を屈曲部としてくの字状の屈曲角度方向に延長して成る構成とした切粉滑降ガイドを、その屈曲部が、前記した回転濾過ドラムの内側に配した噴射ノズルの噴射口を向けた外側の弧状外周辺又は弧状外周面に接近した位置で処理槽に配設したストッパーにより停止させるように処理槽に配設した切粉滑降ガイド支持部材に、該切粉滑降ガイドの吊り下げ部を以て回動自在に吊り下げて配置する構成とした。
【発明の効果】
【００１３】
本発明は、処理槽中で回転するよう配設した回転濾過ドラムの近くに、前記した構成から成る切粉滑降ガイドを配設したので、回転濾過ドラムのフィルターから前記した構成の切粉滑降ガイドの切粉滑降板上に剥がし飛ばされた切粉は、該切粉滑降ガイドの切粉滑降板を伝わって前記回転濾過ドラムから離れた処理槽中に沈降するようにすることができる。
【００１４】
その結果、処理槽に配設した該回転濾過ドラムの周辺の濾過済混濁クーラント中に、過度の切粉が混入することを避けることができる。
その結果、回転濾過ドラムのフィルターに過度の切粉が、付着するのを阻止することができる。
その結果、回転濾過ドラムの濾過機能に支障が生じるのを阻止することができる。
また、回転濾過ドラム周辺の切粉が集まることにより、回転濾過ドラムのフィルターを破損すると言う不都合が生じるのを回避することができる。
【発明を実施するための最良の形態】
【００１５】
金属切削加工を行う工場から排出される大小切粉を混入した混濁クーラントを投入する処理槽中に配設する回転濾過ドラムは、一般に次のような構成となっている。
【００１６】
その１例を示すと、図１に示すとおり回転濾過ドラム１の濾過ドラムは、両側に円板２を配し、この円板２を支杆を以て対設固定する。対設固定した両円板２の外周にフィルター３を張設する。両側に配した円板２の一方側、或いは両方側には、回転濾過ドラム１のフィルター３を通過して回転濾過ドラム１中に流入した濾過済切削油の流出口４を形成した円板２とする。この円板２に形成した流出口４は処理槽１０に設けた流出口１１と連通するものとして形成する。
この濾過ドラムの構成材である円板２の中心に回転軸５を固定して回転濾過ドラム１とする。この回転濾過ドラム１の回転軸５を処理槽１０に設けた軸受１２に回転自在に軸支する。この回転濾過ドラム１の内側には前記回転軸５を通じて洗滌液、或いはエアーを送るパイプを配し、そのパイプには、回転濾過ドラム１のフィルター３に向かって洗滌液、或いはエアーを噴射する噴射ノズル６を配置すると言う構成とするものである。。
【００１７】
回転濾過ドラム１を配設する濾過装置を構成する処理槽１０は、図２に示すとおり一般に天井には混濁クーラントを投入する投入口１３を形成し、底板の一方をコンベアテール部１４とし、他方の延長方向を立ち上がり傾斜部とし、傾斜部の先端を切粉排出部１５とし、この処理槽１０のコンベアテール部１４に従動スプロケット１６を切粉排出部１５に主動スプロケット１７を配し、主動スプロケット１７と従動スプロケット１６にスクレーバコンベア、或いはヒンジコンベア１８を回動自在に懸架して該コンベアによって、処理槽１０に投入され、或いは投入された混濁クーラントに混入している大小の切粉を分離した濾過済クーラントとし、そのコンベアの回動軌跡の内側に回転濾過ドラム１を配設し、回転濾過ドラム１は、前記コンベアの回動力から回転力の伝達を受けて回転し、回転濾過ドラム１のフィルター３によって大小の切粉を分離された濾過済クーラント中から細かい切粉を分離して、濾過された切削油として取り入れ、これを処理槽１０外に流出する型式のものとして構成されている。
【００１８】
また、別の構成から成る濾過装置として、図３に示すとおり、前記したコンベアを配設して混濁クーラント中から大小の切粉を分離して濾過済クーラントとする処理槽１０と、前記した処理槽１０で大小の切粉を分離した濾過済クーラントを導入して、濾過済切削油とする回転濾過ドラム１を配設した処理槽２０を別個に配置した濾過槽がある。
この処理槽２０には、処理槽２０内に配設した回転濾過ドラム１の円板２に形成された流出口と連通する流出口２１が形成されている。この処理槽２０に配設された回転濾過ドラム１は、該処理槽２０に備えられた駆動源２２からの駆動力の伝達を受けて回転するように配設されている。
【００１９】
大小の切粉を混入した混濁クーラント中から大小の切粉を分別した細かい切粉を混入した濾過済クーラント中から細かい切粉を取り除いて濾過済切削油とする回転濾過ドラム１のフィルター３には、前記濾過済クーラント中に混入された細かい切粉が付着し、濾過済混濁クーラント中に混入した細かい切粉は、前記フィルター３で分別されて、回転濾過ドラム１中には濾過済切削油として流入する。回転濾過ドラム１のフィルター３に付着した細かい切粉は、回転する回転濾過ドラム１の内側に配した噴射ノズル６の配置位置を通過するとき、噴射ノズル６から噴射される洗滌液、或いはエアーでフィルター３から剥がされ、回転濾過ドラム１の外側に向かって吹き飛ばされる。
【００２０】
該ドラムの回転中に、該ドラムの内側から該ドラムの外側に向けて、該ドラムの内側に配された噴射ノズル６からの洗滌液、或いはエアーの噴射によって該ドラムのフィルター３から剥がし取られた切粉は該ドラムの周辺からなるべく遠ざけた処理槽１０、２０中に沈降させることが理想である。
なぜなら、該切粉が回転濾過ドラム１の近傍に沈降したときは、処理槽１０、２０内の濾過済クーラント中に回転濾過ドラム１のフィルター３から取り除かれた細かい切粉が混じって該濾過済クーラントを前記切粉を混入した濃厚な濾過済クーラントとしてしまうからである。
【００２１】
本発明によれば、回転濾過ドラム１の回転中に回転濾過ドラム１のフィルター３に付着した切粉がフィルター３から剥がし取られて吹き飛ばされた切粉は、回転濾過ドラム１に併設された切粉滑降ガイド３０の切粉滑降板面に落下される。
この切粉が切粉滑降ガイド３０の切粉滑降板３１面を滑降して、該切粉滑降板３１の先端を誘導板の基部に係合載置状にして連接する切粉滑降板３１上を滑降して回転濾過ドラム１から遠ざけて濾過槽に投入されている大小の切粉を分離された濾過済クーラント中に流れ込む。
切粉滑降ガイド３０の切粉滑降板３１は、切粉滑降板３１上に切粉が載せられても杆３３がストッパー４０で回動範囲を制限されているので、切粉滑降板３１に多少オーバーした切粉が載せられてもその機能が阻害されることない。
【００２２】
本発明の切粉滑降ガイド３０は、前記した理想を実現するために開発した器具である。
その器具である切粉滑降ガイド３０の構成を説明する。切粉滑降ガイド３０は、横幅を回転濾過ドラム１の外周面幅に相当する幅とし、長さを所望の長さとした切粉滑降板３１の一方側の長さ方向に先端を吊り下げ部３２とした吊り下げ杆３３を、該滑降板の両縦辺端を屈曲部３４としてくの字状の屈曲角度方向に延長して成る構成とした切粉滑降ガイド３０とする。
【００２３】
処理槽１０中に回転自在に軸支する回転濾過ドラム１は、外周に突設部を設けたものとする。その突起物は回転濾過ドラム１の周辺に突起物を配設するか、或いは周面を横断する横断板とする。
【００２４】
切粉滑降ガイド３０の配置は、処理槽１０、２０に形成された切粉滑降ガイド支持部材２３に、該切粉滑降ガイド３０の吊り下げ部３２を以て回動自在に吊り下げる。切粉滑降ガイド３０の切粉滑降板３１の両縦辺端の屈曲部３４を、処理槽１０に回転自在に軸支した回転濾過ドラム１の該ドラムの中心軸を水平に通過する仮想横軸線より上で、且つ、濾過ドラムの内側に配した噴射ノズル６の噴射口の配置位置を前記仮想横軸線と平行に通過する仮想横線より下に位置する回転濾過ドラム１の噴射ノズル６の噴射口を向けた外側の弧状外周辺又は弧状外周面に接近した位置で停止させるように該切粉滑降ガイド３０の吊り下げ部３２を以て回動自在に吊り下げる。この手段は処理槽１０に所望の手段を講じて配置したストッパー４０に切粉滑降板３１を当接して位置させる。
【００２５】
該切粉滑降ガイド３０は、前記した構成に形成したから、切粉滑降ガイド支持部材２３に屈曲部３４を回転濾過ドラム１側に向けて回動自在に吊り下げられたときは、図４ａに示すように、該切粉滑降ガイド３０の屈曲部３４は、該個所を回転濾過ドラム１側に片寄って吊り下げられることになる。
切粉滑降ガイド３０の吊り下げに当たっては、前記屈曲部３４が回転濾過ドラム１に当たって回転濾過ドラム１のフィルター３を破損しないよう、該屈曲部３４を回転濾過ドラム１の周面に必要以上に接近することを阻止するストッパー４０を処理槽１０、２０に所望の手段で設ける。
【００２６】
大小の切粉を混入した混濁クーラントを投入され、これが濾過済クーラントとして在留する処理槽１０、２０内で、回転力の伝達を受けて回転する回転濾過ドラム１のフィルター３からは、前記したクーラントが流れ込むことになるが、前記したクーラント中に混入された細かい切粉は、回転濾過ドラム１のフィルター３によって回転濾過ドラム１の中に流入するのを阻止される。そして、細かい切粉は、処理槽１０内で回転する回転濾過ドラム１のフィルター３に付着されることになる。
従って、回転濾過ドラム１内には、濾過済クーラント中の細かい切粉が分別された濾過済切削油が流れ込むことになる。
回転濾過ドラム１の内に流入した濾過済切削油は、回転濾過ドラム１の構成材である円形側板の流出口４から処理槽１０、２０の流出口１１、２１を通って別槽である濾過済切削油回収槽（図示しない）に流出され、貯留されることになる。
【００２７】
回転濾過ドラム１のフィルター３に付着した細かい切粉は、回転する回転濾過ドラム１のフィルター３に付着したまま回転濾過ドラム１の回転方向に移動する。
この細かい切粉が、回転濾過ドラム１の内側に配設された噴射ノズル６を配置した個所を通過するとき、該噴射ノズル６から噴射される洗滌液、或いはエアーによって、該フィルター３から剥がされて回転濾過ドラム１外に吹き飛ばされる。フィルター３から剥がされて吹き飛ばされた細かい切粉は、回転する回転濾過ドラム１のフィルター３に張設側に屈曲突出部を接近して吊り下げられた切粉滑降ガイド３０の切粉滑降板３１上に落ち、これが、該板上を滑降して、該板の端辺から処理槽１０中に落ちることになる。
即ち、処理槽１０の中に回転自在に軸支されて回転する回転濾過ドラム１から、該滑降板の傾斜長さだけ回転濾過ドラム１から離れた処理槽１０、２０中に還元させることになる。
【００２８】
前記した細かい切粉を回転濾過ドラム１からなるべく離れた位置に還元させようとするときは、処理槽１０に、適宜の手段で切粉ガイド滑降板の先端に係合して処理槽１０の底板に向かって傾斜する傾斜板を配設することによって、該細かい切粉を回転濾過ドラム１から所望の距離を隔てて落下するようにすることができる。
【００２９】
回転濾過ドラム１の周辺に突起物７である凸杆、或いは周面に周面を横断する凸板を、所望の間隔で配設することによって、周期的に突起物７である前記凸杆或いは凸板が切粉滑降ガイド３０の吊り下げ杆３３に当接し、図４ｂに示すように該切粉滑降ガイド３０の杆３３を矢印方向に押し上げ、該切粉滑降ガイド３０の切粉滑降板３１を回転濾過ドラム１の周面から遠ざけて、該切粉滑降ガイド３０の屈曲部３４と回転濾過ドラム１の両者の間に隙間を生じさせる。このときは、回転濾過ドラム１のフィルター３から吹き飛ばされた切粉は、その隙間から回転濾過ドラム１の下に沈降させられることになる。
また、回転ドラムの周面に凸板で横切られて、凸板間に付着した切粉もその隙間から落下されることになる。
【００３０】
本発明を実施することにより、回転濾過ドラム１の周面に張設されたフィルター３から剥がし取られた細かい切粉の処理槽１０に対する還元分布を調整することができるようにすることができる。  
【００３１】
図３に示すように、スクレーバコンベア或いはヒンジコンベア１８を回動自在に懸架した槽内に混濁クーラントを投入して、混濁クーラント中に大小切粉を分離した濾過済クーラントを、回転濾過ドラム１を回転自在に配置した槽内に流し込み、該槽内で回転する回転濾過ドラム１によって該濾過済クーラント中から細かい切粉を分離して濾過済切削油とする装置に配設した濾過装置においても、該槽内に該回転濾過ドラム１に前記切粉滑降ガイド３０を前記したと同じように併設したときは、前記切粉滑降ガイド３０は、前記したと同じ機能を発揮し、分離した切粉を前記した切粉滑降ガイド３０によりスクレーバコンベア或いはヒンジコンベア１８を配設した槽に還元するようにすることができる。  
【図面の簡単な説明】
【００３２】
【図１】ヒンジコンベア或いはスクレーバコンベアを回動自在に懸架し、該コンベアの回転軌跡内に該コンベアの回動力の伝達を受けて回転する回転濾過ドラムを配した処理槽から成る濾過装置の構成略図。
【図２】ヒンジコンベア或いはスクレーバコンベアを回動自在に懸架した処理槽と、回転濾過ドラムを回転自在に配した処理槽を併設した濾過装置の斜視図。
【図３】処理槽内に外周に仕切板を横断した構成とする回転濾過ドラムに、切粉滑降ガイドを併設して配設した状態を示す斜視図。
【図４ａ】処理槽内に配設する回転濾過ドラムと、該ドラムに併設する切粉滑降ガイドの作動状態を示す断面略図。
【図４ｂ】処理槽内に配設する回転濾過ドラムと、該ドラムに併設する切粉滑降ガイドの作動状態を示す断面略図。
【符号の説明】
【００３３】
１      回転濾過ドラム
２      円板
３      フィルター
４      流出口
５      回転軸
６      噴射ノズル
７      突起物
１０    処理槽
１１    流出口
１２    軸受
１３    投入口
１４    コンベアテール部
１５    切粉排出部
１６    従動スプロケット
１７    主動スプロケット
１８    ヒンジコンベア
２３    切粉滑降ガイド支持部材
３０    切粉滑降ガイド
３１    切粉滑降板
３２    吊り下げ部
３３    吊り下げ杆
３４    屈曲部
【図１】
2010142751.tif 000003
【図２】
2010142751.tif 000004
【図３】
2010142751.tif 000005
【図４ａ】
2010142751.tif 000006
【図４ｂ】
2010142751.tif 000007